(57)【要約】【課題】ホームページ上の地点表現が示す地点と現在位置との位置関係を素早く把握できる端末装置および情報提供システムを提供することを目的とする。【解決手段】移動体に搭載され、外部のウェブサーバから取得する情報に含まれる地点表現が示す地点と現在位置との位置関係を表現する端末装置であって、外部のウェブサーバから情報を取得する通信制御部と、通信制御部で取得した情報から地点表現を検出し、地点表現が示す地点の位置座標を求める地点変換部と、現在位置を検出する位置検出部と、移動体の進行方向を算出する進行方向取得部と、地点変換部により求められた位置座標と、位置検出部により検出された現在位置と、進行方向取得部から算出された進行方向に基づいて、地点表現を加工する提供情報加工部を備える。【選択図】図１
2009229176.tif 000002
【特許請求の範囲】
【請求項１】
移動体に搭載され、外部のウェブサーバから取得する情報に含まれる地点表現が示す地点と現在位置との位置関係を表現する端末装置であって、
前記外部のウェブサーバから情報を取得する通信制御部と、
前記通信制御部で取得した情報から地点表現を検出し、前記地点表現が示す地点の位置座標を求める地点変換部と、
現在位置を検出する位置検出部と、
前記移動体の進行方向を算出する進行方向取得部と、
前記地点変換部により求められた位置座標と、前記位置検出部により検出された現在位置と、前記進行方向取得部から算出された進行方向に基づいて、前記地点表現を加工する提供情報加工部を備えたことを特徴とする端末装置。
【請求項２】
前記提供情報加工部は、前記地点表現が示す地点が前記現在位置からの前記進行方向に対して所定の角度範囲内にあるか否か、および、前記地点表現が示す地点と前記現在位置との距離に基づいて、前記地点表現を加工することを特徴とする請求項１に記載の端末装置。
【請求項３】
前記提供情報加工部は、前記地点表現を色分けすることにより加工することを特徴とする請求項２に記載の端末装置。
【請求項４】
地点情報サーバと、移動体に搭載され、外部のウェブサーバから取得する情報に含まれる地点表現が示す地点と現在位置との位置関係を表現する端末装置とを含む情報提供システムであって、
前記地点情報サーバは、
前記端末装置が外部のウェブサーバから取得するのと同じ情報を取得して、前記取得した情報から地点表現を検出し、前記地点表現が示す地点の位置座標を求めて前記端末装置に送信し、
前記端末装置は、
前記外部のウェブサーバから情報を取得する通信制御部と、
現在位置を検出する位置検出部と、
前記移動体の進行方向を算出する進行方向取得部と、
前記地点情報サーバから受信した位置座標と、前記位置検出部により検出された現在位置と、前記進行方向取得部から算出された進行方向に基づいて、前記地点表現を加工する提供情報加工部を備えたこと、
を特徴とする情報提供システム。
【請求項５】
前記提供情報加工部は、前記地点表現が示す地点が前記現在位置からの前記進行方向に対して所定の角度範囲内にあるか否か、および、前記地点表現が示す地点と前記現在位置との距離に基づいて、前記地点表現を加工することを特徴とする請求項４に記載の情報提供システム。
【発明の詳細な説明】
【技術分野】
【０００１】
本発明はカーナビゲーションなどにおける地理情報提供技術に関し、特にホームページ中の地点表現と現在位置の関係を把握できる端末装置および情報提供システムに関する。
【背景技術】
【０００２】
カーナビゲーションシステムに携帯電話機を接続し、インターネット上のホームページを車内で表示・閲覧できる端末装置が普及しつつある。様々なホームページが存在するが、店舗など施設を紹介するホームページには住所や電話番号などの地点表現が含まれていることが多い。
【０００３】
この地点表現をカーナビゲーションシステムの目的地に設定する方法として各種技術が提案されている（例えば、特許文献１、２参照）。従来は、ホームページ中に含まれる地点表現を抽出し、その地点表現が表す地点の座標を求め、その座標を中心とした地図の表示や、地点表現に座標に関する情報を埋め込んだハイパーリンクを表示することで目的地設定に利用するというものであった。
【特許文献１】特開２０００−０５７１７０号公報
【特許文献２】特開２００７−１３９７２６号公報
【発明の開示】
【発明が解決しようとする課題】
【０００４】
しかしながら、従来のホームページを利用した目的地設定において、地点表現をハイパーリンクとする場合、地点表現が示す地点について十分な知識がないと、その地点と現在位置の方向関係や距離関係がわからず、目的地設定に困難が生じる。一方、地図を表示する場合、地図画面に切り替える方式とホームページと地図を同時表示する方式が考えられるが両方式とも以下のような課題がある。切り替え方式では、ホームページの情報が閲覧できなくなり、地点に関する情報が得られなくなってしまうため、目的地設定が困難となる。また、同時表示方式の場合、表示が小さくなってしまい、表示内容の目視が困難となる。
【０００５】
本発明は、上記従来の課題を解決するためになされたもので、ホームページ上の地点表現が示す地点と現在位置との位置関係を素早く把握できる端末装置および情報提供システムを提供することを目的とする。
【課題を解決するための手段】
【０００６】
上記従来の課題を解決するために、本発明の第１の局面は、移動体に搭載され、外部のウェブサーバから取得する情報に含まれる地点表現が示す地点と現在位置との位置関係を表現する端末装置であって、外部のウェブサーバから情報を取得する通信制御部と、通信制御部で取得した情報から地点表現を検出し、地点表現が示す地点の位置座標を求める地点変換部と、現在位置を検出する位置検出部と、移動体の進行方向を算出する進行方向取得部と、地点変換部により求められた位置座標と、位置検出部により検出された現在位置と、進行方向取得部から算出された進行方向に基づいて、地点表現を加工する提供情報加工部を備える。
【０００７】
また、提供情報加工部は、地点表現が示す地点が現在位置からの進行方向に対して所定の角度範囲内にあるか否か、および、地点表現が示す地点と現在位置との距離に基づいて、地点表現を加工する。
【０００８】
また、提供情報加工部は、地点表現を色分けすることにより加工する。
【０００９】
また、本発明の第２の局面は、地点情報サーバと、移動体に搭載され、外部のウェブサーバから取得する情報に含まれる地点表現が示す地点と現在位置との位置関係を表現する端末装置とを含む情報提供システムであって、地点情報サーバは、端末装置が外部のウェブサーバから取得するのと同じ情報を取得して、取得した情報から地点表現を検出し、地点表現が示す地点の位置座標を求めて端末装置に送信し、端末装置は、外部のウェブサーバから情報を取得する通信制御部と、現在位置を検出する位置検出部と、移動体の進行方向を算出する進行方向取得部と、地点情報サーバから受信した位置座標と、位置検出部により検出された現在位置と、進行方向取得部から算出された進行方向に基づいて、地点表現を加工する提供情報加工部を備える。
【発明の効果】
【００１０】
本発明の端末装置および情報提供システムは、進行方向との相対角度が一定以内である地点表現の表示を距離に応じて変更することにより、現在地から地点表現の示す地点との距離を素早く把握できる。
【発明を実施するための最良の形態】
【００１１】
以下、本発明の実施の形態について、図面を用いて説明する。
【００１２】
（実施形態）
本発明の実施の形態における端末装置および情報提供システムの構成図を図１に示す。図１において、端末装置１００にはインターネット１７０に接続するための携帯電話などにより構成される通信装置１６０が接続されている。車載端末１００はインターネット１７０に接続することで、車外のウェブサーバ１８０から情報を入手することができる。端末装置１００は、ユーザからの入力を受け付ける入力部１１０と、現在位置を求める位置検出部１２０と、情報処理部１３０と、地図データを格納する地図データ格納部１４０と、ユーザに提供する情報を画面表示する表示部１５０とを備えている。また、情報処理部１３０は、通信制御部１３１と、地点変換部１３２と、進行方向取得部１３３と、提供情報加工部１３４とを備えている。
【００１３】
入力部１１０は、ユーザであるドライバによって操作されるリモートコントローラ、タッチセンサ、キーボード、マウス等によって構成され、端末装置１００の機能選択（処理項目変更、地図切り替え、階層変更等）、地点設定、探索モード選択等を行うために用いられる。この入力部１１０から出力される指示情報は、通信制御部１３１に入力される。
【００１４】
位置検出部１２０は、ＧＰＳ、電波ビーコン受信装置、車速センサ、角速度センサ、絶対方位センサ等で構成され、車両の現在位置を検出する。そして、位置検出部１２０から出力される車両の現在位置情報は、進行方向取得部１３３および提供情報加工部１３４へ入力される。
【００１５】
地図データ格納部１４０は、光ディスク（ＣＤ、ＤＶＤ等）、ハードディスク、大容量メモリ等で構成され、交差点や道路の接続状況や座標・形状・属性・規制情報など、道路ネットワークに関する情報を記録している。また、地点表現となる住所、地名、駅名、建物の名称やランドマーク、郵便番号、電話番号に対する座標（緯度、経度）の情報のデータベースを保持している。そして、地図データ格納部１４０に記録されたデータは、地点変換部１３２および提供情報加工部１３４によって適宜読み出されて利用される。
【００１６】
表示部１５０は、液晶ディスプレイ、ＥＬディスプレイ等の表示装置を含み、提供情報加工部１３４から入力される情報提供のための画像を表示する。
【００１７】
情報処理部１３０は、入力部１１０と位置検出部１２０と地図データ格納部１４０と外部に接続される通信装置１６０から入力されたデータを後述する所定の方法によって処理し、表示部１５０へ入力する。この情報処理部１３０の機能は、ＣＰＵに基づくソフトウェア制御によって実現することもできる。その場合、本端末装置には、当該ソフトウェア制御のためのプログラムを記憶した記録媒体を実装することになる。以下、情報処理部１３０に含まれる各構成部について説明する。
【００１８】
通信制御部１３１は、ユーザにより入力されるウェブサーバ１８０のＵＲＬ（Ｕｎｉｆｏｒｍ  Ｒｅｓｏｕｒｃｅ  Ｌｏｃａｔｏｒ）を入力部１１０から取得し、外部に接続される通信装置１６０にウェブサーバ１８０への接続を指示して、ホームページの情報を取得する。取得された情報は、通信制御部１３１から地点変換部１３２および提供情報加工部１３４へ入力される。
【００１９】
地点変換部１３２は、通信制御部１３１から入力されたホームページの情報から住所や電話番号などの地点表現の検出を行い、検出された地点表現に対応する位置座標を地図データ格納部１４０の地図データから検索して求め、提供情報加工部１３４に入力する。地点表現の検出は、都・道・府・県・市・区・町・村などの住所に使われる文字の前後を正規表現などを活用することによって抽出することで実現できる。また、形態素解析を利用しての実現も可能であり、これらは公知の技術である。地点表現は住所以外にも地名、駅名、建物の名称やランドマーク、郵便番号、電話番号などが想定される。
【００２０】
進行方向取得部１３３は、位置検出部１２０から入力される車両の現在位置情報を蓄積し、現在位置の履歴から車両の進行方向を算出して、提供情報加工部１３４に入力する。
【００２１】
提供情報加工部１３４は、位置検出部１２０から入力される車両の現在位置と、進行方向取得部１３３から入力される車両の進行方向と、地点変換部１３２から入力される地点表現に対応する位置座標とを用いて、ホームページ上の地点表現が示す地点と現在位置との位置関係をユーザが素早く把握できるように、通信制御部１３１から入力されるホームページを加工する。また、必要に応じて地図データ格納部１４０に格納された地図データが読み出され、位置関係を表すために利用される。加工されたホームページの画像は、表示部１５０へ入力される。
【００２２】
以上のように構成された端末装置１００の動作について、図２Ａ、２Ｂのフローチャートを用いて説明する。
まず、ステップＳ２０１において、通信制御部１３１は、入力部１１０からのユーザの入力により外部に接続される通信装置１６０にウェブサーバ１８０への接続を指示して、ホームページの情報を取得し、取得した情報を地点変換部１３２および提供情報加工部１３４へ入力する。図３に取得されたホームページの一例を示す。ガソリンスタンドＡ、Ｂについて、各店舗のレギュラーガソリンの価格と共に、住所３０１、３０２が表示されている。ここでは、住所３０１、３０２が地点表現となる。
【００２３】
そして、ステップＳ２０２において、地点変換部１３２はホームページの情報から住所や電話番号などの地点表現を検出する。地点変換部１３２は、検出したそれぞれの地点表現に対応する座標を地図データ格納部１４０の地図データから検索して求め、地点表現とそれが示す座標の組を列挙した地点表現リストを作成する。図４は地点変換部１３２により作成される地点表現リストの一例である。図３に示すホームページの例では、地点名として「ガソリンスタンドＡ」、地点表現として「大阪府○×市・・・」、その緯度座標として「N35°46′19.7"」、その経度座標として「E139°39′39.7"」が一行で表され、次の行に地点名「ガソリンスタンドＢ」についての各々の項目が追加されて、検出された全地点表現についてのリストが作成される。
【００２４】
ステップＳ２０３において、進行方向取得部１３３は位置検出部１２０より車両の現在位置の座標を取得する。そして、ステップＳ２０４において、進行方向取得部１３３は、蓄積しておいた現在位置の履歴から車両の進行方向を求める。ステップＳ２０５からＳ２１６において、提供情報加工部１３４は地点表現リストが空となるまで、各地点表現と座標の組に対し以下の処理をおこなう。
【００２５】
まず、ステップＳ２０６において、提供情報加工部１３４は地点表現リストから地点表現とそれが示す座標の組（緯度と経度）を取り出す。そして、ステップＳ２０７において、提供情報加工部１３４は位置検出部１２０より取得した現在位置から地点表現が示す地点への距離と方位を座標から算出する。
【００２６】
次にステップＳ２０８からＳ２１５において、提供情報加工部１３４は地点表現の表示色を決定する。この処理の概要について図５、６を用いて説明する。図５は車両の現在位置とホームページに含まれる地点表現が示す地点との位置関係を示している。三角形５０３はステップＳ２０４で算出された車両の進行方向が紙面上方であることを示しており、地点マーク５０１、５０２はそれぞれガソリンスタンドＡ、Ｂの地点を示している。
【００２７】
まず、ステップ２０８において、全ての地点表現の表示色を黒に設定する。そして、ステップＳ２０９において、提供情報加工部１３４は現在位置から地点表現が示す地点への方位について、進行方向に対する相対角度を求める。その角度が１５°未満である地点について、進行方向と一致していると判断し、以下のステップで距離に応じて地点表現の表示色を変更する。
【００２８】
図６は、車両の現在位置と地点表現が示す地点の位置関係によって、ホームページ上の地点表現の表示色を何色に変更するかを説明するための図である。例えば、現在位置と地点表現が示す地点との距離が１キロメートル以内の領域６０２にある場合は表示色を青とし、距離が１キロメートル以上１０キロメートル以内の領域６０３にある場合は表示色を黄、１０キロメートル以上２０キロメートル以内の領域６０４にある場合は表示色を赤とする。
【００２９】
そして、距離が２０キロメートル以上であるとき、表示色を黒とする。また、相対角度が１５°以上である場合、同じ黒を表示色に割り当てる。つまり、表示色が青となる領域は領域６０２となる。また、表示色が黄、赤となる領域はそれぞれ領域６０３、６０４であり、それ以外の領域では表示色が黒となる。
【００３０】
図２Ｂのフローチャートに戻りステップＳ２０９において、地点表現が示す地点への方位が車両の進行方向と一致していると判断すると（Ｙｅｓ）、ステップＳ２１０に進む。ステップＳ２０９で進行方向と一致していないと判断すると（Ｎｏ）、ステップＳ２１６に進み地点表現は黒色で描画される。ステップＳ２１０で現在位置と地点表現で示す地点との距離が２０キロメートル以内かどうか判断され、２０キロメートル以内であると判断されると（Ｙｅｓ）、ステップＳ２１１で地点表現の表示色を赤色に設定し、ステップ２１２に進む。ステップＳ２１０で距離が２０キロメートル以内でないと判断すると（Ｎｏ）、ステップＳ２１６に進み地点表現は黒色で描画される。
【００３１】
ステップＳ２１２で現在位置と地点表現で示す地点との距離が１０キロメートル以内かどうか判断され、１０キロメートル以内であると判断されると（Ｙｅｓ）、ステップＳ２１３で地点表現の表示色を黄色に設定し、ステップ２１４に進む。ステップＳ２１２で距離が１０キロメートル以内でないと判断すると（Ｎｏ）、ステップＳ２１６に進み地点表現は赤色で描画される。
【００３２】
ステップＳ２１４で現在位置と地点表現で示す地点との距離が１キロメートル以内かどうか判断され、１キロメートル以内であると判断されると（Ｙｅｓ）、ステップＳ２１５で地点表現の表示色を青色に設定し、ステップＳ２１６で地点表現は青色で描画される。ステップＳ２１４で距離が１キロメートル以内でないと判断すると（Ｎｏ）、ステップＳ２１６に進み地点表現は黄色で描画される。
【００３３】
ステップＳ２１６において、決定された表示色で描画が行なわれると、図２ＡのステップＳ２０５に戻り、地点表現リストの次の地点表現についてステップＳ２０６からＳ２１６の処理が同様に行なわれる。ステップＳ２０５で地点表現リストにある全ての地点表現について描画が終了したと判断すると（Ｎｏ）、全体の処理を終了する（ステップＳ２１７）。
【００３４】
例えば図６の場合には、地点表現が示す地点が地点マーク５０１に示す位置にある場合、進行方向に対する方位の相対角度が１５°以上あるため、表示色は黒色になる。一方、地点表現の示す地点が地点マーク５０２に示す位置にある場合、現在位置との距離が近く領域６０２に含まれるため、地点表現の表示色は青色になる。
【００３５】
上記処理により、ホームページ中に含まれる全ての地点表現は青、黄、赤、黒のいずれかに色づけされる。色づけされたホームページの例を図７に示す。ガソリンスタンドＡについては地点マーク５０１に位置するため、図３において「大阪府○×市・・・」と表示されていた地点表現の部分の表示色が黒になる。また、ガソリンスタンドＢについては地点マーク５０２に位置するため、図３において「大阪府△□市・・・」と表示されていた地点表現の部分の表示色が青色になる。
【００３６】
本発明の実施の形態の端末装置によれば、ウェブブラウザ上のホームページにある地点表現について、進行方向との差が１５°未満であり、距離が非常に近いものは青色で表示される。また、ある程度近いものは黄色で表示され、遠いものは赤色で表示される。また非常に遠いものや進行方向から離れたものは黒色で表示される。これにより、例えば、複数の地点表現を含むホームページの中から経由地を設定する場合、青色で表示されている地点表現を選択すれば、進行方向を変更することなく、かつ、短距離の移動でその地点表現が示す地点に到達できることが一目で分かる。
【００３７】
（変形例）
上記実施形態の変形例について、図面を用いて説明する。
図８は本変形例における端末装置および情報提供システムの構成図を示している。図１と同じ構成要素については同じ符号を付して、その説明を省略する。図１の構成と異なるのは、端末装置８００の情報処理部８３０が地点変換部を備えていない点と、その代わりに情報提供システム８がインターネットに接続される地点情報サーバ８１０を備えている点である。地点情報サーバ８１０は、上記実施形態の地図データ格納部と同様のデータベースを保持している。また、地点情報サーバ８１０は、ホームページの情報から住所や電話番号などの地点表現の検出を行い、検出された地点表現に対応する位置座標を保持しているデータベースから求め、端末装置８００に送信する。
【００３８】
本変形例における端末装置および情報提供システムの動作の流れについて、図９のフローチャートを用いて説明する。図９は上記図２Ａに対応するフローチャートであり、図２Ｂに示した端末装置の表示色決定の動作については本実施の形態においても同じである。図２Ａと同じ動作については、同じステップ番号を付してその説明を省略する。
【００３９】
ステップＳ９０１において、通信制御部８３１は、入力部１１０からのユーザの入力により外部に接続される通信装置１６０にウェブサーバ１８０への接続を指示して、ホームページの情報を取得し、取得した情報を提供情報加工部８３４に入力する。同時に、通信制御部８３１は、ウェブサーバ１８０のＵＲＬを地点情報サーバ８１０に送信する。
【００４０】
ステップＳ９０２において、地点情報サーバ８１０はＵＲＬを受信する。そして、ステップＳ９０３において、地点情報サーバ８１０はＵＲＬをもとにウェブサーバ１８０に接続してホームページの情報を取得し、そのウェブページに含まれる全ての地点情報を検出する。そして、各地点情報に対応する座標を求め、地点情報と座標の組を列挙した地点表現リストを作成し、端末装置８００に送信する。地点表現リストは図４で説明したものと同じである。
【００４１】
次に、ステップＳ９０４において、端末装置８００の通信制御部８３１は、地点情報サーバ８１０から送られてくる地点表現リストを受信して、提供情報加工部８３４に入力する。以降の動作については、上記実施形態と同じである。
【００４２】
本変形例における情報提供システムおよび端末装置によれば、インターネットに接続される地点情報サーバ８１０が地点表現リストを作成して、端末装置８００に送信する。そのため、各端末装置は地点表現リストを作るためのデータベースを持つ必要はなく、また、地点表現となる住所、地名、駅名、建物の名称やランドマーク、郵便番号、電話番号などが変更になっても、地点情報サーバ８１０上のデータベースを更新するだけで対応できる。
【００４３】
なお、以上の説明では、ステップＳ２０４における車両の進行方向は現在位置の履歴から算出したが、端末装置がナビゲーション機能を有する場合は、現在位置の座標と入力部１１０からユーザにより入力される目的地の座標から方位を算出し、それを車両の進行方向としてもよい。また、目的地までの経路が算出されている場合には、現在位置上の経路が持つ方向成分を進行方向としてもよい。また、電子コンパスなどを利用して進行方向を取得してもよい。
【００４４】
また、進行方向との一致性判定と現在位置と地点表現が示す地点との距離に関する判定について、目的地までの経路が算出されている場合には、その経路を利用して次のようにしてもよい。図１０に示すように、経路１０００に対して所定の幅（例えば、１キロメートル）について、経路上における現在位置（三角形１００１）からの距離に応じて、１キロメートルまでの領域１００２を表示色が青、１キロメートル以上１０キロメートルまでの領域１００３を表示色が黄、１０キロメートル以上２０キロメートルまでの領域１００４を表示色が赤、それ以上の領域を表示色が黒と設定する。ウェブブラウザ上のホームページにある地点表現は、それが示す地点が含まれる領域に応じた色で表示される。
【００４５】
また、ステップＳ２０９において、許容する相対角度は１５°に設定したがこの値に限らず、また距離によって変更してもよい。例えば図１１のように、１キロメートル以内であれば１５°（領域１１０２）、１キロメートル以上１０キロメートル以内であれば１０°（領域１１０３）、１０キロメートル以上２０キロメートル以内であれば５°（領域１１０４）とする。これにより、進行方向から逸脱する距離を抑制することができる。
【００４６】
また、表示色は距離に応じて連続的な色調としてもよい。つまり、１キロメートルで色が青から黄に急に変更するのではなく、距離が伸びるにつれて少しずつ青から緑を経て黄となることを指す。
【００４７】
表示色は文字の色として活用してもよいし、文字の背景色としてもよい。文字の色を変更する場合、背景にまぎれないように、背景色を既定の色に変更してもよい。
【００４８】
また、距離の表現方法は色以外で行ってもよい。例えば、明滅の速度で距離を表現することもできる。つまり、距離の近い地点表現については頻繁に明滅を繰り返し、距離が遠いものについては明滅の間隔が長いという表示方法である。
【００４９】
また、地点表現が色づけされたホームページにおいて、各色の意味を示すための案内を表示してもよい。例えば図１２に示すように、領域と表示色との対応関係を示す図６に示した画像をホームページ上に合成して表示することにより、ユーザは各色が現在地に対してどのような意味を持つかを把握することができる。明滅の場合も同様の案内を表示してもよい。
【産業上の利用可能性】
【００５０】
以上のように、本発明にかかる情報提供システムおよび端末装置によれば、ホームページ上の地点表現が示す地点と現在位置との位置関係を素早く把握できるという効果を有し、車両で移動中に複数の地点表現を含む提供情報の中から経由地を設定する場合の情報として活用したり、手近に利用可能なガソリンスタンドがどれかを素早く認知することなどに利用できる。そのため、カーナビゲーション装置等の車載端末およびサーバを含む情報提供システム等として有用である。
【図面の簡単な説明】
【００５１】
【図１】本発明の実施の形態における端末装置および情報提供システムの構成図
【図２Ａ】本発明の実施の形態における端末装置の動作説明のためのフローチャート
【図２Ｂ】本発明の実施の形態における端末装置の動作説明のためのフローチャート
【図３】表示部１５０に表示されるホームページの例を示す図
【図４】地点変換部１３２により作成される地点表現リストの一例を示す図
【図５】車両の現在位置とホームページに含まれる地点表現が示す地点との位置関係の一例を示す図
【図６】車両の現在位置と地点表現が示す地点の位置関係によりホームページ上の地点表現の表示色を何色に変更するかを説明する図
【図７】ホームページ上の地点表現の表示色が変更された一例を示す図
【図８】本発明の実施の形態の変形例における情報提供システムおよび端末装置の構成図
【図９】本発明の実施の形態の変形例における情報提供システムおよび端末装置の動作説明のためのフローチャート
【図１０】経路を利用して地点表現の表示色を決定する方法を説明する図
【図１１】距離により許容する相対角度を変更する方法を説明する図
【図１２】領域と表示色との対応関係を示す図６に示した画像をホームページ上に合成して表示されたホームページの一例を示す図
【符号の説明】
【００５２】
１、８    情報提供システム
１００、８００    端末装置
１１０    入力部
１２０    位置検出部
１３０、８３０    情報処理部
１３１、８３１    通信制御部
１３２    地点変換部
１３３    進行方向取得部
１３４、８３４    提供情報加工部
１４０    地図データ格納部
１５０    表示部
１６０    通信装置
１７０    インターネット
１８０    ウェブサーバ
３０１、３０２    地点表現
５０１、５０２    地点マーク
５０３、１００１、１１０１    三角形
６０２、６０３、６０４、１００２、１００３、１００４、１１０２、１１０３、１１０４    領域
１０００    経路
【図１】
2009229176.tif 000003
【図２Ａ】
2009229176.tif 000004
【図２Ｂ】
2009229176.tif 000005
【図３】
2009229176.tif 000006
【図４】
2009229176.tif 000007
【図５】
2009229176.tif 000008
【図６】
2009229176.tif 000009
【図７】
2009229176.tif 000010
【図８】
2009229176.tif 000011
【図９】
2009229176.tif 000012
【図１０】
2009229176.tif 000013
【図１１】
2009229176.tif 000014
【図１２】
2009229176.tif 000015